(57)【要約】【課題】引き締め式の等速自在継手用ブーツバンドにおいて、締付操作片の操作により等速自在継手のブーツを確実に締め付けられるようにする。【解決手段】バンド本体１１の一端側先端部１８に、係合爪１５の幅よりも小さい幅寸法でバンド本体１１の一端から係合穴１１ａに達するスリット１８ａを設け、第１および第２の締付操作片１２、１４をバンド本体１１の縮径方向に操作したときに、係合爪１５のバンド本体１１からの突出側面の頂点がスリット１８ａの内側を通過するようにした。これにより、従来よりも、バンド本体１１の一端側先端部１８と係合爪１５の干渉が緩和され、係合爪１５を径方向内側へ押し潰す力が低減されるので、係合爪１５が塑性変形しにくくなり、係合爪１５を確実に係合穴１１ａに係合させることができる。【選択図】図３
2020051495.tif 000002
【特許請求の範囲】
【請求項１】
等速自在継手を覆うブーツの所定位置の外周にリング状に装着されるバンド本体が、帯状部材からなり、前記ブーツへの装着前の状態で、一端部に厚み方向に貫通する係合穴が設けられ、他端部には厚み方向の一方側に突出する係合爪が設けられ、両端部に締付操作片を有しているものであり、
前記バンド本体を、その一端部と他端部の前記係合爪よりも先端側の部位とが重なる状態で前記ブーツの外周にリング状に装着し、前記バンド本体を縮径させる方向に前記両締付操作片を操作することにより、前記係合爪が係合穴に係合してブーツを締め付けるようになっている等速自在継手用ブーツバンドにおいて、
前記バンド本体は、前記係合爪の幅よりも小さい幅寸法でバンド本体の一端から前記係合穴に達するスリットが設けられていることを特徴とする等速自在継手用ブーツバンド。
【請求項２】
前記係合穴は、前記バンド本体の一端側の締付操作片の切り起こしによって形成されたものであることを特徴とする請求項１に記載の等速自在継手用ブーツバンド。
【請求項３】
前記係合爪は前記バンド本体からの突出側面に頂点を有するものであり、前記両締付操作片の操作によって前記係合爪の頂点が前記スリットの内側を通過するようになっていることを特徴とする請求項１に記載の等速自在継手用ブーツバンド。
【発明の詳細な説明】
【技術分野】
【０００１】
本発明は、等速自在継手を覆うブーツを締め付けて固定するためのブーツバンドに関する。
【背景技術】
【０００２】
自動車や各種産業機械における動力伝達に用いられる摺動型あるいは固定型の等速自在継手は、通常、内部に充填した潤滑剤としてのグリースの漏れを防止するとともに、内部にダストや水等の異物が侵入することを防止するため、ブーツを装着して使用する。
【０００３】
上記の等速自在継手用のブーツは、等速自在継手の外側継手部材の外周に取り付けられる大径筒部と、駆動側または従動側のシャフトの外周に取り付けられる小径筒部と、これらの両筒部を連結する膜状部とからなる。そして、その大径筒部および小径筒部が、それぞれブーツバンドで締め付けられて外側継手部材およびシャフトの外周に密着した状態で固定されるようになっている。
【０００４】
上記のように等速自在継手を覆うブーツを締め付けて固定するブーツバンドは、引き締め式と呼ばれるものが広く用いられている（例えば、特許文献１参照。）。図５は一般的な引き締め式のブーツバンドの一例を示す。
【０００５】
このブーツバンドは、図５（ａ）、（ｂ）に示すように、金属製の帯状部材からなるバンド本体５１の一端部に、第１の締付操作片５２、係合穴５１ａ、爪受入穴５１ｂ、３つの凸部で形成される波部５３および舌受入穴５１ｃが設けられている。一方、バンド本体５１の他端部には、第２の締付操作片５４、係合爪５５、案内爪５６および長手方向の外側に延びる舌状延長部５７が設けられている。両締付操作片５２、５４、波部５３、係合爪５５および案内爪５６はバンド本体５１の厚み方向の一方側に突出しており、係合穴５１ａ、爪受入穴５１ｂ、舌受入穴５１ｃはバンド本体５１の厚み方向に貫通している。
【０００６】
係合穴５１ａは、第１の締付操作片５２の切り起こしによって形成されたものである。波部５３は、締付公差を補正するもので、各凸部間の凹部の深さが幅方向の中央部で両側部よりも浅く形成されている。また、バンド本体５１の一端部は、舌受入穴５１ｃの長手方向の途中の位置に段差が形成され、その段差よりも長手方向外側の部位が厚み方向の一方側へずれた形状となっている。そして、舌受入穴５１ｃは、段差よりも長手方向外側の部分が長手方向内側よりも狭く形成されている。
【０００７】
係合爪５５は、バンド本体５１からの突出側面の幅方向中央に頂点を有する形状に形成されている。また、舌状延長部５７の先端はクランク状に折り曲げられて、折曲部５７ａが形成されている。
【０００８】
このブーツバンドによるブーツ締付作業は、まず、図５（ｃ）に示すように、バンド本体５１をリング状に変形させて、その一端部が外周側となり他端部が内周側となるように両端部を重ね合わせた状態でブーツ（図示省略）の外周に装着し、案内爪５６を爪受入穴５１ｂから突出させる。このとき、バンド本体５１の一端部は他端部の係合爪５５よりも先端側の部位と重なっており、舌状延長部５７の折曲部５７ａは舌受入穴５１ｃの狭幅部に入り込んでいる。
【０００９】
次に、図５（ｃ）の状態で、第１の締付操作片５２と第２の締付操作片５４を引き寄せて、バンド本体５１を縮径させる。すると、図５（ｄ）に示すように、案内爪５６が波部５３の内周側面に案内されて舌受入穴５１ｃの狭幅部まで移動し、舌状延長部５７の全長が舌受入穴５１ｃの広幅部に入り込んでバンド本体５１が引き締められるとともに、係合爪５５が係合穴５１ａに係合して、ブーツバンドがブーツを締め付けた状態が保持されるようになる。
【００１０】
また、図６は、上記とは別の引き締め式のブーツバンドの例を示す。このブーツバンドは、図６（ａ）、（ｂ）に示すように、上記の図５のものと比べると、バンド本体５１の一端部に図５の爪受入穴５１ｂがなく、波部５３が１つの凸部で形成されている点、案内爪５６が舌状延長部５７に形成されており、その舌状延長部５７の先端が折り曲げられていない点が異なっているが、その他の部分の構成は同じである。
【００１１】
そして、図５のブーツバンドと同様に、図６（ｃ）に示すように、バンド本体５１をリング状に変形させてブーツ（図示省略）の外周に装着し、案内爪５６を舌受入穴５１ｃの狭幅部から突出させた後、第１の締付操作片５２と第２の締付操作片５４を引き寄せることにより、図６（ｄ）に示すように、舌状延長部５７の全長が舌受入穴５１ｃの広幅部に入り込んでバンド本体５１が引き締められるとともに、係合爪５５が係合穴５１ａに係合してブーツ締付状態とすることができる。
【先行技術文献】
【特許文献】
【００１２】
【特許文献１】特許第３５１３２３８号公報
【発明の概要】
【発明が解決しようとする課題】
【００１３】
上述した従来の等速自在継手用のブーツバンドでは、図５（ｃ）または図６（ｃ）の状態から第１の締付操作片５２と第２の締付操作片５４を引き寄せて、図５（ｄ）または図６（ｄ）のブーツ締付状態とする際に、次のような不具合が生じる場合がある。
【００１４】
すなわち、図５（ｃ）または図６（ｃ）の状態にあるときには、係合爪５５は、図７（ａ）、（ｂ）に示すように、バンド本体５１の一端部と重ならない位置にある。この状態から第１の締付操作片５２と第２の締付操作片５４を引き寄せると、図７（ｃ）に示すように、バンド本体５１の一端部の係合穴５１ａよりも先端側の部位（以下、「一端側先端部」と称する。）５８が係合爪５５を乗り越えていき、その後、通常は図７（ｄ）に示すように係合爪５５が係合穴５１ａに係合する。
【００１５】
ところが、上記の図７（ｃ）のようにバンド本体５１の一端側先端部５８が係合爪５５を乗り越えるときには、一端側先端部５８は係合爪５５から径方向外側へ押し上げられる力を受け、その反力で係合爪５５を径方向内側へ押し潰すことになる。これにより、一端側先端部５８が係合爪５５を乗り越えた後に、塑性変形した係合爪５５が係合穴５１ａに係合できず（図７（ｄ）の状態が得られず）、ブーツの締め付けができなくなることがある。
【００１６】
そこで、本発明は、引き締め式の等速自在継手用ブーツバンドにおいて、締付操作片の操作により等速自在継手のブーツを確実に締め付けられるようにすることを課題とする。
【課題を解決するための手段】
【００１７】
上記課題を解決するため、本発明は、等速自在継手を覆うブーツの所定位置の外周にリング状に装着されるバンド本体が、帯状部材からなり、前記ブーツへの装着前の状態で、一端部に厚み方向に貫通する係合穴が設けられ、他端部には厚み方向の一方側に突出する係合爪が設けられ、両端部に締付操作片を有しているものであり、前記バンド本体を、その一端部と他端部の前記係合爪よりも先端側の部位とが重なる状態で前記ブーツの外周にリング状に装着し、前記バンド本体を縮径させる方向に前記両締付操作片を操作することにより、前記係合爪が係合穴に係合してブーツを締め付けるようになっている等速自在継手用ブーツバンドにおいて、前記バンド本体は、前記係合爪の幅よりも小さい幅寸法でバンド本体の一端から前記係合穴に達するスリットが設けられている構成を採用した。
【００１８】
この構成によれば、ブーツ締付作業の途中でリング状としたバンド本体の縮径方向に両締付操作片を操作した際に、バンド本体の一端側先端部が係合爪を乗り越えるときの干渉が緩和され、係合爪を径方向内側へ押し潰す力が低減されるので、係合爪が塑性変形しにくくなり、係合爪を確実に係合穴に係合させることができる。
【００１９】
ここで、前記係合穴は、前記バンド本体の一端側の締付操作片の切り起こしによって形成されたものとすることができる。
【００２０】
また、前記係合爪が前記バンド本体からの突出側面に頂点を有するものである場合は、前記両締付操作片の操作によって前記係合爪の頂点が前記スリットの内側を通過する構成とすれば、係合爪を径方向内側へ押し潰す力が一層低減されるので、係合爪をより確実に係合穴に係合させられるようになる。
【発明の効果】
【００２１】
本発明の等速自在継手用ブーツバンドは、上述したように、帯状部材からなるバンド本体に、係合爪の幅よりも小さい幅寸法でバンド本体の一端から係合穴に達するスリットを設けることにより、ブーツ締付作業の途中で締付操作片を操作した際の係合爪の塑性変形を生じにくくしたものであるから、確実に係合爪を係合穴に係合させてブーツの締め付けを行うことができる。
【図面の簡単な説明】
【００２２】
【図１】実施形態のブーツバンドを適用した等速自在継手の正面断面図
【図２】図１のブーツバンドを示すもので、（ａ）は締付作業前の平面図、（ｂ）は（ａ）の側面図、（ｃ）は締付作業途中の側面図、（ｄ）は締付作業後の側面図
【図３】図１のブーツバンドの装着状態での要部を示すもので、（ａ）は引締操作前の平面図、（ｂ）は（ａ）のIII−III線に沿った断面図、（ｃ）は引締操作中の（ｂ）に対応する断面図、（ｄ）は引締操作後の（ｂ）に対応する断面図
【図４】図１のブーツバンドの変形例を示すもので、（ａ）は締付作業前の平面図、（ｂ）は（ａ）の側面図、（ｃ）は締付作業途中の側面図、（ｄ）は締付作業後の側面図
【図５】従来のブーツバンドを示すもので、（ａ）は締付作業前の平面図、（ｂ）は（ａ）の側面図、（ｃ）は締付作業途中の側面図、（ｄ）は締付作業後の側面図
【図６】従来の別のブーツバンドを示すもので、（ａ）は締付作業前の平面図、（ｂ）は（ａ）の側面図、（ｃ）は締付作業途中の側面図、（ｄ）は締付作業後の側面図
【図７】図５および図６のブーツバンドの装着状態での共通の要部を示すもので、（ａ）は引締操作前の平面図、（ｂ）は（ａ）のVII−VII線に沿った断面図、（ｃ）は引締操作中の（ｂ）に対応する断面図、（ｄ）は引締操作後の（ｂ）に対応する断面図
【発明を実施するための形態】
【００２３】
以下、図面に基づき、本発明の実施形態を説明する。図１は、実施形態のブーツバンド１０、１０’を適用した固定型の等速自在継手を示す。この等速自在継手は、従動側シャフト（図示省略）に一体回転可能に連結されるカップ状の外側継手部材１と、外側継手部材１の径方向内側に配され、駆動側シャフト２の一端部に一体回転可能に連結されるリング状の内側継手部材３と、外側継手部材１と内側継手部材３との間でトルク伝達を行うトルク伝達機構４とを備えている。
【００２４】
前記外側継手部材１の内周面および内側継手部材３の外周面には、それぞれ互いに対向するように複数のトラック溝（軸方向溝）１ａ、３ａが形成されている。そして、その外側継手部材１のトラック溝１ａと内側継手部材３のトラック溝３ａとの間に組み込まれた複数のトルク伝達用のボール５と、外側継手部材１の内周面と内側継手部材３の外周面の間に配され、各ボール５を回転自在に保持するケージ６とによって前記トルク伝達機構４が構成されており、外側継手部材１と駆動側シャフト２とが相対傾動した状態での両継手部材１、３間のトルク伝達が可能となっている。
【００２５】
そして、外側継手部材１の内部には、潤滑剤としてのグリース（図示省略）が充填されており、そのグリースの漏れ防止および外部から内部への異物の侵入防止のために、等速自在継手用のブーツ７が装着されている。
【００２６】
前記ブーツ７は、外側継手部材１の開放側端部に取り付けられる大径筒部７ａと、駆動側シャフト２の一端部よりも中央寄りに設けられたブーツ取付部２ａに取り付けられる小径筒部７ｂと、これらの両筒部７ａ、７ｂを連結する蛇腹状の膜状部７ｃとからなる。そして、その大径筒部７ａおよび小径筒部７ｂが、それぞれブーツバンド１０、１０’で締め付けられることにより、外側継手部材１の開放側端部の外周および駆動側シャフト２のブーツ取付部２ａの外周に密着した状態で固定されるようになっている。
【００２７】
なお、このブーツ７はゴム製のものでも樹脂製のものでもよい。ゴム製の場合はブーツ表面硬さがＨＳ５０〜ＨＳ７０のものが好ましい。表面硬さがＨＳ５０よりも小さいとブーツ７が十分な強度を得られず、表面硬さがＨＳ７０よりも大きいと耐疲労性が低下するようになるからである。一方、樹脂製の場合はブーツ表面硬さがＨＤ３８〜ＨＤ５０のものが好ましい。表面硬さがＨＤ３８よりも小さいと十分な耐熱性や強度が得られないうえコストアップとなり、表面硬さがＨＤ５０よりも大きいと耐疲労性、柔軟性および組付性が低下するようになるからである。
【００２８】
ここで、実施形態の等速自在継手用ブーツバンド１０、１０’は、径方向寸法が異なるだけで、構成およびブーツ締付作業は同じなので、以下、ブーツ７の大径筒部７ａを固定するブーツバンド１０について説明する。
【００２９】
このブーツバンド１０は、図２（ａ）、（ｂ）に示すように、基本的な構成は図５に示した従来のものと同じであり、金属製の帯状部材からなるバンド本体１１の一端部に、第１の締付操作片１２、係合穴１１ａ、爪受入穴１１ｂ、３つの凸部で形成される波部１３および舌受入穴１１ｃが設けられている。一方、バンド本体１１の他端部には、第２の締付操作片１４、係合爪１５、案内爪１６および長手方向の外側に延びる舌状延長部１７が設けられている。両締付操作片１２、１４、波部１３、係合爪１５および案内爪１６はバンド本体１１の厚み方向の一方側に突出しており、係合穴１１ａ、爪受入穴１１ｂ、舌受入穴１１ｃはバンド本体１１の厚み方向に貫通している。
【００３０】
係合穴１１ａは、第１の締付操作片１２の切り起こしによって形成されたものである。波部１３は、締付公差を補正するもので、各凸部間の凹部の深さが幅方向の中央部で両側部よりも浅く形成されている。また、バンド本体１１の一端部は、舌受入穴１１ｃの長手方向の途中の位置に段差が形成され、その段差よりも長手方向外側の部位が厚み方向の一方側へずれた形状となっている。そして、舌受入穴１１ｃは、段差よりも長手方向外側の部分が長手方向内側よりも狭く形成されている。
【００３１】
係合爪１５は、バンド本体１１からの突出側面の幅方向中央に頂点を有する形状に形成されている。また、舌状延長部１７の先端はクランク状に折り曲げられて、折曲部１７ａが形成されている。
【００３２】
このブーツバンド１０の従来のもの（図５）との違いは、バンド本体１１の一端部の係合穴１１ａよりも先端側の部位（一端側先端部）１８に、係合爪１５の幅よりも小さい幅寸法でバンド本体１１の一端から係合穴１１ａに達するスリット１８ａが設けられている点にある。
【００３３】
このブーツバンド１０によるブーツ締付作業も、従来のもの（図５）と同様に行う。すなわち、まず、図２（ｃ）に示すように、バンド本体１１をリング状に変形させて、その一端部が外周側となり他端部が内周側となるように両端部を重ね合わせた状態で図示省略したブーツ７の大径筒部７ａの外周に装着し、案内爪１６を爪受入穴１１ｂから突出させる。このとき、バンド本体１１の一端部は他端部の係合爪１５よりも先端側の部位と重なっており、舌状延長部１７の折曲部１７ａは舌受入穴１１ｃの狭幅部に入り込んでいる。
【００３４】
次に、図２（ｃ）の状態で、第１の締付操作片１２と第２の締付操作片１４を引き寄せて、バンド本体１１を縮径させる。すると、図２（ｄ）に示すように、案内爪１６が波部１３の内周側面に案内されて舌受入穴１１ｃの狭幅部まで移動し、舌状延長部１７の全長が舌受入穴１１ｃの広幅部に入り込んでバンド本体１１が引き締められるとともに、係合爪１５が係合穴１１ａに係合して、ブーツバンド１０がブーツ７を締め付けた状態が保持されるようになる。
【００３５】
ここで、図３は、図２（ｃ）の状態から第１の締付操作片１２と第２の締付操作片１４を引き寄せて、図２（ｄ）のブーツ締付状態とする際の係合爪１５付近の挙動を示す。
【００３６】
図２（ｃ）の状態にあるときには、係合爪１５は、図３（ａ）、（ｂ）に示すように、バンド本体１１の一端部と重ならない位置にある。この状態から第１の締付操作片１２と第２の締付操作片１４を引き寄せると、図３（ｃ）に示すように、バンド本体１１の一端側先端部１８が係合爪１５を乗り越えていく。このとき、係合爪１５は、その頂点がバンド本体１１の一端側先端部１８に設けられたスリット１８ａの内側を通過していき、側面でバンド本体１１の一端側先端部１８からの力を受ける。すなわち、従来のブーツバンドの場合（図７（ｃ）参照）に比べて、バンド本体１１の一端側先端部１８と係合爪１５の干渉が緩和され、係合爪１５を径方向内側へ押し潰す力が低減されるので、係合爪１５は塑性変形を生じにくい。これにより、バンド本体１１の一端側先端部１８が係合爪１５を乗り越えると、図３（ｄ）に示すように、係合爪１５が確実に係合穴１１ａに係合する。
【００３７】
この等速自在継手用ブーツバンド１０は、上記の構成であり、帯状部材からなるバンド本体１１の一端側先端部１８に、係合爪１５の幅よりも小さい幅寸法でバンド本体１１の一端から係合穴１１ａに達するスリット１８ａを設けることにより、ブーツ締付作業の途中で第１および第２の締付操作片１２、１４を操作した際の係合爪１５の塑性変形を生じにくくしたので、確実に係合爪１５を係合穴１１ａに係合させてブーツ７の締め付けを行うことができる。
【００３８】
図４は、図２に示した実施形態の等速自在継手用ブーツバンド１０の変形例を示す。この変形例では、図４（ａ）、（ｂ）に示すように、上記の図２のものと比べると、バンド本体１１の一端部に図２の爪受入穴１１ｂがなく、波部１３が１つの凸部で形成されている点、案内爪１６が舌状延長部１７に形成されており、その舌状延長部１７の先端が折り曲げられていない点が異なっているが、その他の部分の構成は同じである。
【００３９】
そして、図２のものと同様に、図４（ｃ）に示すように、バンド本体１１をリング状に変形させて図示省略したブーツ７の大径筒部７ａの外周に装着し、案内爪１６を舌受入穴１１ｃの狭幅部から突出させた後、第１の締付操作片１２と第２の締付操作片１４を引き寄せることにより、図４（ｄ）に示すように、舌状延長部１７の全長が舌受入穴１１ｃの広幅部に入り込んでバンド本体１１が引き締められるとともに、係合爪１５が係合穴１１ａに係合してブーツ締付状態することができる。
【００４０】
この変形例においても、図２のものと同じく、バンド本体１１の一端側先端部１８にスリット１８ａが設けられているので、図４（ｃ）の状態から第１の締付操作片１２と第２の締付操作片１４を引き寄せた際には、図３と同じ挙動を示し、係合爪１５は塑性変形を生じにくい。したがって、バンド本体１１の一端側先端部１８が係合爪１５を乗り越えると、確実に係合爪１５が係合穴１１ａに係合してブーツ７を締め付けることができる。
【００４１】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００４２】
例えば、本発明は、実施形態のように係合爪がバンド本体からの突出側面に頂点を有するものである場合に特に有効に適用できるが、係合爪が突出側面に頂点をもたない平坦な形状のものである場合でも、締付操作片の引締操作によってバンド本体の一端側先端部が係合爪を乗り越えていくときに係合爪が受ける力が低減されるので、係合爪は従来よりも塑性変形を生じにくくなり、係合爪を確実に係合穴に係合させることができる。
【００４３】
また、係合穴は、必ずしも実施形態のように第１の締付操作片の切り起こしによって形成されたものとする必要はなく、第１の締付操作片と別々に形成してもよい。
【００４４】
なお、本発明は、自動車のドライブシャフトやプロペラシャフトの動力伝達に用いられる等速自在継手等、摺動型あるいは固定型の等速自在継手のブーツの締付固定に利用される引き締め式ブーツバンドに広く適用できる。
【符号の説明】
【００４５】
１０、１０’  ブーツバンド
１１  バンド本体
１１ａ  係合穴
１１ｂ  爪受入穴
１１ｃ  舌受入穴
１２  第１の締付操作片
１３  波部
１４  第２の締付操作片
１５  係合爪
１６  案内爪
１７  舌状延長部
１８  一端側先端部
１８ａ  スリット
【図１】
2020051495.tif 000003
【図２】
2020051495.tif 000004
【図３】
2020051495.tif 000005
【図４】
2020051495.tif 000006
【図５】
2020051495.tif 000007
【図６】
2020051495.tif 000008
【図７】
2020051495.tif 000009